(57)【要約】      （修正有）【課題】国境地域で、国内ネットワークを優先して、ネットワーク選択するのに好適な方法および装置を提供する。【解決手段】移動局は、国内ＭＣＣを有する国内通信ネットワークと関連する。しかし、国内ネットワークの国以外にいれば、移動局は、訪問先ＭＣＣを有する非国内通信ネットワークを選択し、それとともに作動する。タイマーの期限満了後、移動局は、該移動局の動作範囲にあるカバーエリア内の複数の通信ネットワークを識別するために、走査する。国内ＭＣＣを有する国内通信ネットワークが利用可能であると識別された場合は、移動局は国内通信ネットワークを選択し、それとともに作動する。訪問先ＭＣＣを有する非国内通信ネットワークが利用可能であると識別された場合は、非国内通信ネットワークを選択し、それとともに作動する。【選択図】図６
2010081628.tif 000002
【特許請求の範囲】
【請求項１】
国内移動国コード（ＭＣＣ）を有する国内通信ネットワークと関連する移動局によって通信ネットワークを選択する方法であって、
該方法は、
訪問先ＭＣＣを有する非国内通信ネットワークを選択し、該非国内通信ネットワークとともに作動することであって、該訪問先ＭＣＣは、該国内通信ネットワークの国内ＭＣＣとは異なる、ことと、
該訪問先ＭＣＣを有する非国内通信ネットワークとともに作動することに応答して、周期的な国内公衆陸上移動ネットワーク（ＨＰＬＭＮ）タイマーをセットし、実行することと、
該訪問先ＭＣＣを有する非国内通信ネットワークとともに作動している間において該周期的なＨＰＬＭＮタイマーの各期限満了に応答して、
カバーエリア内の複数の通信ネットワークを識別するために走査することであって、該移動局は、該カバーエリア内で動作している、ことと、
走査のステップから、該複数の通信ネットワークと関連する複数の移動ネットワークコード（ＭＮＣ）およびＭＣＣのペアを受け取ることと、
該国内ＭＣＣを有する該国内通信ネットワークが該走査によって利用可能であると識別された場合には、該国内通信ネットワークを選択し、該国内通信ネットワークとともに作動することと、
該国内ＭＣＣを有する該国内通信ネットワークが該走査によって利用可能であると識別されなかった場合で、該訪問先ＭＣＣを有する該非国内通信ネットワークが該走査によって利用可能であると識別された場合に、該訪問先ＭＣＣを有する該非国内通信ネットワークとの作動を継続することと、
該国内ＭＣＣを有する該国内通信ネットワークが該走査によって利用可能であると識別されなかった場合で、該訪問先ＭＣＣを有する該非国内通信ネットワークが該走査によって利用可能でないと識別された場合に、該移動局の優先順位の付けられたネットワークリストに基づいて該複数の通信ネットワークのうちの１つを選択することと
を包含する、方法。
【請求項２】
前記国内ＭＣＣは、第一の国と関連し、前記訪問先ＭＣＣは、該第一の国と国境を共有する第二の国と関連する、請求項１に記載の方法。
【請求項３】
前記優先順位の付けられたネットワークリストは、優先公衆陸上移動ネットワーク（ＰＰＬＭＮ）リストを含む、請求項１に記載の方法。
【請求項４】
前記通信ネットワークは、公衆陸上移動ネットワーク（ＰＬＭＮ）を含む、請求項１に記載の方法。
【請求項５】
前記通信ネットワークは、移動通信グローバルシステム（ＧＳＭ）に従って動作する、請求項１に記載の方法。
【請求項６】
国内移動国コード（ＭＣＣ）を有する国内通信ネットワークと関連する移動局であって、該移動局は、
無線トランシーバと、
該無線トランシーバに結合されたアンテナと、
該無線トランシーバに結合された１つ以上のプロセッサと
を備え、
該１つ以上のプロセッサは、
訪問先ＭＣＣを有する非国内通信ネットワークを選択し、該非国内通信ネットワークとともに作動することであって、該訪問先ＭＣＣは、該国内通信ネットワークの国内ＭＣＣとは異なる、ことと、
該訪問先ＭＣＣを有する非国内通信ネットワークとともに作動することに応答して、周期的な国内公衆陸上移動ネットワーク（ＨＰＬＭＮ）タイマーをセットし、実行することと、
該該周期的なＨＰＬＭＮタイマーの各期限満了に応答して、
カバーエリア内の複数の通信ネットワークを識別するために走査することであって、該移動局は、該カバーエリア内で動作している、ことと、
走査のステップから、該複数の通信ネットワークと関連する複数の移動ネットワークコード（ＭＮＣ）およびＭＣＣのペアを受け取ることと、
該国内ＭＣＣを有する該国内通信ネットワークが該走査によって利用可能であると識別された場合には、該国内通信ネットワークを選択し、該国内通信ネットワークとともに作動することと、
該国内ＭＣＣを有する該国内通信ネットワークが該走査によって利用可能であると識別されなかった場合で、該訪問先ＭＣＣを有する該非国内通信ネットワークが該走査によって利用可能であると識別された場合に、該訪問先ＭＣＣを有する該非国内通信ネットワークとの作動を継続することと、
該国内ＭＣＣを有する該国内通信ネットワークが該走査によって利用可能であると識別されなかった場合で、該訪問先ＭＣＣを有する該非国内通信ネットワークが該走査によって利用可能でないと識別された場合に、該移動局の優先順位の付けられたネットワークリストに基づいて該複数の通信ネットワークのうちの１つを選択することと
によって、通信のために介する通信ネットワークを選択するように構成されている、移動局。
【請求項７】
前記国内ＭＣＣは、第一の国と関連し、前記訪問先ＭＣＣは、該第一の国と国境を共有する第二の国と関連する、請求項６に記載の移動局。
【請求項８】
前記優先順位の付けられたネットワークリストは、優先公衆陸上移動ネットワーク（ＰＰＬＭＮ）リストを含む、請求項６に記載の移動局。
【請求項９】
前記通信ネットワークは、公衆陸上移動ネットワーク（ＰＬＭＮ）を含む、請求項６に記載の移動局。
【請求項１０】
前記通信ネットワークは、移動通信グローバルシステム（ＧＳＭ）に従って動作する、請求項６に記載の移動局。
【請求項１１】
第一の国と関連する第一の移動国コード（ＭＣＣ）を有する第一の通信ネットワークと、
第二の国と関連する第二のＭＣＣを有する第二の通信ネットワークと、
該第一の通信ネットワークおよび該第二の通信ネットワークで動作可能な１つ以上の移動局と
を備える、通信システムであって、
該１つ以上の移動局は、該第一の通信ネットワークを該１つ以上の移動局の通信ネットワークとして指定しており、
該１つ以上の移動局は、
該第一のＭＣＣとは異なる該第二のＭＣＣを有する該第二の通信ネットワークを選択し、該第二の通信ネットワークとともに作動することと、
該第二のＭＣＣを有する第二の通信ネットワークとともに作動することに応答して、周期的な国内公衆陸上移動ネットワーク（ＨＰＬＭＮ）タイマーをセットし、実行することと、
該第二のＭＣＣを有する第二の通信ネットワークとともに作動している間において該周期的なＨＰＬＭＮタイマーの各期限満了に応答して、
カバーエリア内の複数の通信ネットワークを識別するために走査することであって、該移動局は、該カバーエリア内で動作している、ことと、
該走査から、該複数の通信ネットワークと関連する複数の移動ネットワークコード（ＭＮＣ）およびＭＣＣのペアを受け取ることと、
該第一のＭＣＣを有する該第一の通信ネットワークが該走査によって利用可能であると識別された場合には、該第一の通信ネットワークを選択し、該第一の通信ネットワークとともに作動することと、
該第一のＭＣＣを有する該第一の通信ネットワークが該走査によって利用可能であると識別されなかった場合で、該第二のＭＣＣを有する該第二の通信ネットワークが該走査によって利用可能であると識別された場合に、該第二のＭＣＣを有する該第二の通信ネットワークとの作動を継続することと、
該第一のＭＣＣを有する該第一の通信ネットワークが該走査によって利用可能であると識別されなかった場合で、該第二のＭＣＣを有する該第二の通信ネットワークが該走査によって利用可能でないと識別された場合に、該移動局の優先順位の付けられたネットワークリストに基づいて該複数の通信ネットワークのうちの１つを選択することと
を実行するように動作する、通信システム。
【請求項１２】
前記第一の国は、前記第二の国と国境を共有する、請求項１１に記載の通信システム。
【請求項１３】
前記優先順位の付けられたネットワークリストは、優先公衆陸上移動ネットワーク（ＰＰＬＭＮ）リストを含む、請求項１１に記載の通信システム。
【請求項１４】
前記通信ネットワークは、公衆陸上移動ネットワーク（ＰＬＭＮ）を含む、請求項１１に記載の通信システム。
【請求項１５】
前記通信ネットワークは、移動通信グローバルシステム（ＧＳＭ）に従って動作する、請求項１１に記載の通信システム。
【発明の詳細な説明】
【技術分野】
【０００１】
（関連特許）
本出願は、２００３年１１月１２日に出願され、本明細書で参照され、本明細書に組み込まれる米国暫定特許出願番号第６０／５１９，５１７号、発明の名称「国境地域における国内ネットワーク優先化のネットワーク選択方法および装置」の優先権を主張するものである。
（技術分野）
本出願は、一般的に、移動局、および、移動局において使用されるネットワーク選択方法に関する。
【背景技術】
【０００２】
携帯移動局のような移動通信機器は、電話コールの送受信および／または無線通信ネットワークへの送受信が可能である。この送受信が可能となる前に、移動局はその地理的カバーエリアで利用可能な複数の通信ネットワークの一つを選択し、登録する。選択されたネットワークを登録後に、移動局は、その局が「陣取る」ネットワークの特定の無線通信チャネルにおいて、アイドルモードで動作し、コールやメッセージをモニターする。ネットワーク選択」は、その一つの通信ネットワークを選択するために、移動局によって実行される特定のプロセスであって、それを介して登録と動作が行われる。
【０００３】
携帯電話の動作およびネットワーク選択スキームは、携帯移動局および関連システムの挙動を支配する標準仕様に記載されている。携帯標準でよく知られているものの一つが、移動通信グローバルシステム（ＧＳＭ）標準である。ＧＳＭ０３．２２／欧州通信規格協会（ＥＴＳＩ）ＴＸ  １００  ９３０、第三世代パートナーシッププロジェクト（３ＧＰＰ）からの技術仕様（ＴＳ）２３．１２２、および、他の関連する標準仕様が、携帯の動作とネットワーク選択に関する詳細が多数記載されている。これらの資料は、移動局が様々な地域や国の間を移動し、ローミングする際も、ネットワークで（公衆陸上移動ネットワークまたはＰＬＭＮ）のカバーを維持するため、とくに、連続的に電話サービスを提供するため、移動局がいかなる挙動をするかを述べている。
【０００４】
伝統的に、移動局は、その移動局の取り巻くカバーエリア内にある全ての利用可能な通信ネットワークを最初に読み取って識別することで、ネットワーク選択を実行する。各ネットワークは、単一の移動国コード（ＭＣＣ）および移動ネットワークコード（ＭＮＣ）のペアによって、特定される。移動局の「国内ネットワーク」（ＨＰＬＭＮ）が利用可能なら、移動局は通常、国内ネットワークを選択し、それとともに作動する。ＨＰＬＭＮが利用可能でなければ、移動局は通常、移動局のメモリに格納された優先ネットワークリストで優先度の最も高い通信ネットワークを選択し、それとともに作動する。幾つかの優先ネットワークリストがあり得るが、移動局の加入者識別モジュール（ＳＩＭ）カードに格納された優先ＰＬＭＮリスト（ＰＰＬＭＮリスト）を通常は指す。例えば、ＰＰＬＭＮリストはユーザ制御ＰＰＬＭＮ（Ｕ−ＰＰＬＭＮ）リストとオペレータ制御ＰＬＭＮ（Ｏ−ＰＰＬＭＮ）リストとを含み得る。上述のネットワーク選択方法は、「自動」ネットワーク選択方法として、通常は称されている。この自動選択方法の代替として、移動局に可視的に表示されたリストに載った複数の利用可能なネットワークから、移動局のエンドユーザが手動で選択する能力を備えていることがある。この従来型ネットワーク選択方法は、「手動」ネットワーク選択方法として、称され得る。
【０００５】
移動局の従来型ネットワーク選択技術において、幾つかの問題がある。それは、特に、ＨＰＬＭＮでの動作に関するものである。例えば、仕様によると、移動局は、その移動局の現在サービス対象外の国にある任意のネットワークを選択することを考えてはならない。サービス国は、移動局をサービスする現在のネットワークのＭＣＣによって、識別される。この動作は、二国の国境において、移動局は両国からのネットワークを「見る（ｓｅｅ）」ことが可能であるから、重大な問題となっている。このシナリオにおいて、移動局は、その移動局の現在サービスしているネットワークのＭＣＣと異なるＭＣＣを有する全てのネットワーク（移動局自身のＨＰＬＭＮを含む）を無視して動作する。このような従来型動作は、ＥＴＳＩ仕様２３．１２２に記載されている。
したがって、その結果から、従来技術の欠点を克服するネットワーク選択方法および装置に対するニーズがある。
【発明の概要】
【課題を解決するための手段】
【０００６】
国境地域において、国内ネットワーク優先化するネットワーク選択方法と装置が、本明細書で記載される。一つの実施例において、移動局は、国内移動国コード（ＭＣＣ）を有する国内通信ネットワークと関連している。しかしながら、国内ネットワークの国の外にいると、携帯局は、訪問先ＭＣＣを有する非国内通信ネットワークを選択し、それとともに作動する。タイマの時間が切れると、携帯局は走査を行い、その移動局が作動しているカバーエリア内の複数の通信ネットワークを識別する。国内ＭＣＣを有する国内通信ネットワークが、利用可能であると識別されたら、移動局は国内通信ネットワークを選択し、それとともに作動する。そうでなく、訪問先ＭＣＣを有する非国内通信ネットワークが、利用可能であると識別されたら、移動局は非国内通信ネットワークを選択し、それとともに作動する。
（項目１）
国内移動国コード（ＭＣＣ）を有する国内通信ネットワークと関連する移動局によって、通信ネットワークを選択する方法であって、該方法は、
訪問先ＭＣＣを有する非国内通信ネットワークを選択し、それとともに作動することと、
タイマーの期限満了後、
該移動局の動作範囲にあるカバーエリア内の複数の通信ネットワークを識別するために、走査することと、
該国内ＭＣＣを有する該国内通信ネットワークが、該走査によって利用可能であると識別された場合、該国内通信ネットワークを選択し、それとともに作動することと、
さもなくば、該訪問先ＭＣＣを有する該非国内通信ネットワークが、該走査によって利用可能であると識別された場合、該非国内通信ネットワークを選択し、それとともに作動することと
を包含する、方法。
（項目２）
前記国内ＭＣＣが第一の国と関連し、前記訪問先ＭＣＣが、該第一の国と国境を共有する第二の国と関連する、項目１に記載の方法。
（項目３）
前記タイマーが周期タイマーを備える、項目１に記載の方法。
（項目４）
前記タイマーが周期タイマーを備え、前記走査、選択および作動の行為が、該周期タイマーの期限満了に応答して実行される、項目１に記載の方法。
（項目５）
前記通信ネットワークが、公衆陸上移動ネットワーク（ＰＬＭＮ）を備える、項目１に記載の方法。
（項目６）
前記通信ネットワークが、移動通信グローバルシステム（ＧＳＭ）に従って動作する、項目１に記載の方法。
（項目７）
国内移動国コード（ＭＣＣ）を有する国内通信ネットワークと関連する移動局であって、該移動局は、
無線トランシーバと、
該無線トランシーバに結合されたアンテナと、
該無線トランシーバに結合された１つ以上のプロセッサと
を備え、
該１つ以上のプロセッサが、
訪問先ＭＣＣを有する非国内通信ネットワークを選択し、それとともに作動することと、
タイマーの期限満了後、
該移動局の作動範囲にあるカバーエリア内の複数の通信ネットワークを識別するために、走査することと、
該国内ＭＣＣを有する該国内通信ネットワークが、該走査によって利用可能であると識別された場合、該国内通信ネットワークを選択し、それとともに作動することと、
さもなくば、該訪問先ＭＣＣを有する該非国内通信ネットワークが、該走査によって利用可能であると識別された場合、該非国内通信ネットワークを選択し、それとともに作動することとによって、通信するための通信ネットワークを選択するように構成されている、移動局。
（項目８）
前記国内ＭＣＣが第一の国と関連し、前記訪問先ＭＣＣが、該第一の国と国境を共有する第二の国と関連する、項目７に記載の移動局。
（項目９）
前記タイマーが周期タイマーを備える、項目７に記載の移動局。
（項目１０）
前記タイマーが周期タイマーを備え、前記走査、選択および作動の行為が、該周期タイマーの期限満了に応答して実行される、項目７に記載の移動局。
（項目１１）
前記通信ネットワークが、公衆陸上移動ネットワーク（ＰＬＭＮ）を備える、項目７に記載の移動局。
（項目１２）
前記通信ネットワークが、移動通信グローバルシステム（ＧＳＭ）に従って動作する、項目７に記載の移動局。
（項目１３）
第一の国と関連する第一の移動国コード（ＭＣＣ）を有する第一の通信ネットワークと、
第二の国と関連する第二のＭＣＣを有する第二の通信ネットワークと、
該第一の通信ネットワークと該第二の通信ネットワークで動作可能な１つ以上の移動局とを備える、通信システムであって、
該１つ以上の移動局は、その国内通信ネットワークとして指定された該第一の通信ネットワークを有し、
該１つ以上の移動局が、
第二のＭＣＣを有する第二の通信ネットワークを選択し、それとともに作動するように、
タイマーの期限満了後、該移動局の作動範囲にあるカバーエリア内の複数の通信ネットワークを識別するために、走査するように、
該第一のＭＣＣを有する該第一の通信ネットワークが、該走査によって利用可能であると識別された場合、該第一の通信ネットワークを選択し、それとともに作動するように、および、
さもなくば、該第二のＭＣＣを有する該第二の通信ネットワークが、該走査によって利用可能であると識別された場合、該第二の通信ネットワークを選択し、それとともに作動するように動作する、通信システム。
（項目１４）
前記第一の国が前記第二の国と国境を共有する、項目１３に記載の通信システム。
（項目１５）
前記タイマーが周期タイマーを備える、項目１３に記載の通信システム。
（項目１６）
前記タイマーが周期タイマーを備え、前記走査、選択および作動の行為が、該周期タイマーの期限満了に応答して実行される、項目１３に記載の通信システム。
（項目１７）
前記通信ネットワークが、公衆陸上移動ネットワーク（ＰＬＭＮ）を備える、項目１３に記載の通信システム。
（項目１８）
前記通信ネットワークが、移動通信グローバルシステム（ＧＳＭ）に従って動作する、項目１３に記載の通信システム。
（項目１９）
国内移動国コード（ＭＣＣ）を有する国内通信ネットワークと関連する移動局によって、通信ネットワークを選択する方法であって、該方法は、
訪問先ＭＣＣを有する非国内通信ネットワークを選択し、それとともに作動することと、
該移動局の動作範囲にあるカバーエリア内の複数の通信ネットワークを識別するために、走査することと、
該国内ＭＣＣを有する該国内通信ネットワークが、該走査によって利用可能であると識別された場合、該国内通信ネットワークを選択し、それとともに作動することと
を包含する、方法。
（項目２０）
さもなくば、前記訪問先ＭＣＣを有する前記非国内通信ネットワークが、前記走査によって利用可能であると識別された場合、前記非国内通信ネットワークを選択し、それとともに作動することを、さらに包含する、項目１９に記載の方法。
（項目２１）
前記国内ＭＣＣが第一の国と関連し、前記訪問先ＭＣＣが、該第一の国と国境を共有する第二の国と関連する、項目１９に記載の方法。
（項目２２）
前記走査の行為が、タイマーの期限満了後に実行される、項目１９に記載の方法。
（項目２３）
前記走査、選択および作動の行為が、周期タイマーの期限満了に応答して実行される、項目１９に記載の方法。
（項目２４）
前記通信ネットワークが、公衆陸上移動ネットワーク（ＰＬＭＮ）を備える、項目１９に記載の方法。
（項目２５）
前記通信ネットワークが、移動通信グローバルシステム（ＧＳＭ）に従って動作する、項目１９に記載の方法。
【図面の簡単な説明】
【０００７】
【図１】図１は、無線通信ネットワークに通信する移動局を含む通信システムのブロック図である。
【図２】図２は、無線通信ネットワークに使用される移動局のより詳細な例である。
【図３】図３は、移動局と通信するシステムの特定構造である。
【図４】図４は、移動局が、第一の移動国コード（ＭＣＣ）を有する訪問先のネットワークに現在登録され、そのネットワークを介して通信している図である。これは、第二のＭＣＣを有するその移動の国内ネットワークが利用可能とされている場合においてである。
【図５】図５は、本標準に従う通信ネットワークの選択方法を記載した流れ図である。
【図６】図６は、国境地域において国内ネットワーク優先化を有する通信ネットワークの選択方法を記載した流れ図である。
【発明を実施するための形態】
【０００８】
本発明の実施形態の簡単な説明は、添付図面を参考にして、以下に例として、記載される。
【０００９】
移動局による通信ネットワークの選択方法および装置について、本明細書で記載される。一つの例証となる方法において、移動局は国内移動国コード（ＭＣＣ）を有する国内通信ネットワークと関連している。本方法は、訪問先ＭＣＣを有する非国内通信ネットワークを選択し、それとともに作動するステップ、ならびに、周期タイマーが期限満了した後に、該移動局の動作しているカバーエリア内の複数の通信ネットワークを識別するために、走査するステップを含み、該国内ＭＣＣを有する該国内通信ネットワークが、該走査によって利用可能であると識別された場合、該国内通信ネットワークを選択して、それとともに作動し、また、さもなければ、該訪問先ＭＣＣを有する該非国内通信ネットワークが、該走査によって利用可能であると識別された場合、該非国内通信ネットワークを選択し、それとともに作動する方法である。
【００１０】
図１は、通信システム１００のブロック図である。本システム１００は、無線通信ネットワーク１０４を介して通信する移動通信デバイス１０２を含む。移動通信デバイス１０２は、可視ディスプレイ１１２、キーボード１１４、および、可能なら１つ以上の補助ユーザインターフェース（ＵＩ）１１６を含むことが好ましく、各補助ＵＩ１１６は制御装置１０６に結合される。また、制御装置１０６は、無線周波数（ＲＦ）トランシーバ回路網１０８およびアンテナ１１０とも結合されている。
【００１１】
最新の通信デバイスにおいては、制御装置１０６は、メモリ構成要素（図示せず）内でオペレーティングシステムソフトウェアを動かす中央処理演算装置（ＣＰＵ）として組み込まれている。制御装置１０６は移動局１０２の全動作を通常は制御する。それに対し、通信機能と関連する信号処理操作は、ＲＦトランシーバ回路網１０８内で、典型的には実行される。制御装置１０６は、受信情報、格納情報、ユーザ入力などを表示するため、デバイスディスプレイ１１２と、連動する。キーボード１１４は、電話式押しボタンあるいは完全な英数字キーボードであり得る。このキーボード１１４は、一般的に、移動局１０２に格納するためのデータ、ネットワーク１０４に送信する情報、電話コールを行うための電話番号、移動局１０２で実行されるコマンド、そして、可能ならば、その他様々なユーザ入力を入れるために供される。
【００１２】
移動局１０２はアンテナ１１０を介した無線リンクによって、ネットワーク１０４に通信信号を送り、ネットワーク１０４から通信信号を受ける。ＲＦトランシーバ回路網１０８は、基地局１２０の機能と類似の機能を、例えば、変調／復調、ならびに、可能ならば、符号化／復号化および暗号化／解読を含む機能を実行する。また、ＲＦトランシーバ回路網１０８は、基地局１２０によって実行される機能に加え、ある種の機能を実行し得ることも考えられる。ＲＦトランシーバ回路網１０８は、特定の無線ネットワーク、あるいは、移動局１０２の動作を意図するネットワークにおいて適応されることは、当業者にとっては明らかである。
【００１３】
移動局１０２は、１つ以上の再充電可能な電池１３２を受け取る電池インターフェース１３４を含む。電池１３２は、移動局１０２内の電気回路網に（その全てでなくとも、そのほとんどに）電力を提供し、電池インターフェース１３４は、電池１３２との機械的および電気的接続を備える。電池インターフェース１３４は、デバイスへの電力を調節する調節器１３６と結合されている。移動局１０２が完全動作中、ＲＦトランシーバ回路網１０８のＲＦ送信器は、ネットワークに送信中のみ、キーがオンまたはスイッチオンになっているが、それ以外のときは、電力保存のため、オフになっている。このような送信器の断続的動作は、移動局１０２の電力消費に劇的な影響を与える。同様に、ＲＦトランシーバ回路網１０８のＲＦ受信器は、典型的には、定期的にオフとなっている。これは、指定された時間帯の間に、信号または情報（たとえ、あっても）を受け取る必要が生じるまで、電力を保存するためである。
【００１４】
移動局１０２は、単一ユニットから構成され得る。単一ユニットとしては、例えば、データ通信機器、携帯電話、データおよび音声通信能力を有する多機能通信機器、無線通信可能な携帯情報端末機器（ＰＤＡ）または内蔵モデム組み込みコンピュータなどがある。代替的に、移動局１０２は、複数の個別構成要素を備えた多モジュールユニットでもあり得るが、無線モデムと接続されたコンピュータなどのデバイスに決して限定されない。特に、例えば、図１の移動局のブロック図において、ＲＦトランシーバ回路網１０８およびアンテナ１１０は、ラップトップコンピュータのポートに挿入され得る無線モデムユニットとして、実現され得る。この場合は、ラップトップコンピュータは、ディスプレイ１１２、キーボード１１４、１つ以上の補助ＵＩ１１６、および、コンピュータのＣＰＵとして組み込まれた制御装置１０６を含むであろう。また、通常は無線通信可能でないコンピュータなどの装置が、上述したデバイスの一つのような単一ユニットデバイスのＲＦトランシーバ回路網１０８とアンテナ１１０とに接続し、それらの制御を効果的に実行するように適合され得ることも、考えられる。このような移動局は、図４に示す移動局４０２と関連して、後述されるように、より特定的な実行もあり得る。
【００１５】
移動局１０２は、加入者識別モジュール（ＳＩＭ）を用いて、動作する。このＳＩＭは、ＳＩＭインターフェース１４２に接続または挿入されている。ＳＩＭ１４０は、移動局１０２のエンドユーザ（または加入者）を識別し、デバイスをその他の物から個人化するために使用される従来型の「スマートカード」の一つの形式である。ＳＩＭ１４０がなければ、移動端末は、無線ネットワーク１０４を介した通信が十分に動作しない。ＳＩＭ１４０を移動端末に挿入すると、エンドユーザは自分の加入している任意で全部のサービスにアクセス可能となる。加入者を識別するために、ＳＩＭ１４０は、国際移動加入者識別（ＩＭＳＩ）など幾つかのユーザパラメータを含む。さらに、ＳＩＭ１４０は、典型的には４桁の個人識別番号（ＰＩＮ）によって保護されている。このＰＩＮは、移動局の中に格納され、エンドユーザのみにしか知られていない。ＳＩＭ１４０を使うと有利な点は、エンドユーザが必ずしも、任意の一つの物理的な移動端末によって拘束されない点である。典型的には、移動端末を個人化する唯一の要素は、ＳＩＭカードである。したがって、ユーザのＳＩＭで動作することを備えた任意の移動端末を用いて、ユーザは加入したサービスにアクセス可能である。ＳＩＭ１４０は、一般的に、プロセッサと情報を格納するメモリとを含む。ＳＩＭおよびそのインターフェース標準は、周知である。ＳＩＭインターフェース１４２を有する標準のＧＳＭデバイスとの連動のためには、従来型ＳＩＭ１４０は、６本の接続を有する。典型的なＳＩＭ１４０は、ＩＭＳＩや優先ネットワークリストなどの様々な情報を格納する。
【００１６】
移動局１０２は、無線通信ネットワーク１０４内で、このネットワークを介して、通信する。図１に示す実施形態において、無線ネットワーク１０４は、移動通信グローバルシステム（ＧＳＭ）および汎用パケット無線サービス（ＧＰＲＳ）に従って動作する。無線ネットワーク１０４は、関連アンテナタワー１１８、移動切り替えセンター（ＭＳＣ）１２２、国内位置登録（ＨＬＲ）１３２、汎用パケット無線サービス（ＧＰＲＳ）支援ノード（ＳＧＳＮ）１２６、および、ゲートウェーＧＰＲＳ支援ノード（ＧＧＳＮ）１２８を備えた基地局１２０を含む。ＭＳＣ１２２は、基地局１２０と、公衆切り換え電話ネットワーク（ＰＳＴＮ）１２４などの陸上ネットワークとに結合されている。ＳＧＳＮ１２６は、基地局１２０と、ＧＧＳＮ１２８とに結合されている。次いで、このＧＧＳＮ１２８は、公共または民間データネットワーク１３０（インターネットなど）に結合されている。ＨＬＲ１３２は、ＭＳＣ１２２と、ＳＧＳＮ１２６とに結合されている。
【００１７】
その関連制御装置とアンテナタワー１１８を含む基地局１２０は、一般に「セル」と呼ばれる特定のカバーエリア用の無線ネットワークカバーを提供する。基地局１２０は、アンテナタワー１１８を介して、そのセル内にある移動局から通信信号を送信し、通信信号を受信する。基地局１２０は、通常、移動局に送信されるべき信号を変調、ならびに、可能ならば、符号化および／または暗号化するなどの機能を、その制御装置の制御下で、特に、一般的には設定された通信プロトコルおよびパラメータに従って、実行する。基地局１２０は、そのセル内の移動局１０２から受信した任意の通信信号を、必要なら、同様に、復調、ならびに、可能ならば、復号化および解読する。通信プロトコルおよびパラメータは、異なるネットワーク間で、変化し得る。例えば、一つのネットワークは、他のネットワークと異なった変調スキームを用い、異なった周波数で動作し得る。
【００１８】
図１の通信システム１００に示す無線リンクは、典型的には、異なる無線周波数（ＲＦ）チャネルである１以上の異なるチャネル、および、無線ネットワーク１０４と移動局１０２間で使われる関連プロトコルを表している。ＲＦチャネルは、典型的には、移動局１０２の全帯域幅に制限があり、電池残量も限られているため、保存されるべき有限のリソースである。現行の無線通信は、所望のネットワークカバー範囲の拡がり全体に応じて、何百ものセル（この各セルは個別の基地局１２０およびトランシーバによってサービスされる）を含み得ることは、当業者なら理解される。全ての基地局制御装置および基地局は、多数のネットワーク制御装置で制御された多数のスイッチとルーター（図示せず）によって、接続され得る。
【００１９】
ネットワークオペレータに登録された全ての移動局１０２に対して、不変データ（移動局１０２のユーザプロファイルなど）および一時的データ（移動局１０２の現在位置など）がＨＬＲ１３２に格納される。移動局１０２への音声コールの場合、ＨＬＲ１３２は、移動局１０２の現在位置を決定するために、クエリされる。ＭＳＣ１２２の訪問位置記録（ＶＬＲ）は、ロケーションエリアのグループの担当であり、その現在担当エリアにあるこれら移動局のデータを格納する。これは、より高速なアクセスのために、ＨＬＲ１３２からＶＬＲに送信された永続的な移動局データの一部を含む。しかしながら、ＭＳＣ１２２のＶＬＲは、一時的識別などのローカルデータを割り当て、格納することもあり得る。選択的に、ＭＳＣ１２２のＶＬＲは、ＧＰＲＳと非ＧＰＲＳのサービスと機能（例えば、ＳＧＳＮ１２６を介せば、より効率的に実行され得る回線交換コール用の呼び出し、および、ＧＰＲＳと非ＧＰＲＳを組み合わせたロケーション更新）とをより効率的に協調するように促進され得る。
【００２０】
ＧＰＲＳネットワークの一部であると、サービングＧＰＲＳ支援ノード（ＳＧＳＮ）１２６は、ＭＳＣ１２２と同じ階層レベルであり、移動局の個々のロケーションを追跡する。また、ＳＧＳＮ１２６は、安全機能およびアクセス制御を実行する。ゲートウェーＧＰＲＳ支援ノード（ＧＧＳＮ）１２８は、外部パケット交換ネットワークとの相互作用を提供し、ＩＰベースのＧＰＲＳ基幹ネットワークを介して、ＳＧＳＮ（例えば、ＳＧＳＮ１２６など）と接続している。ＳＧＳＮ１２６は、既存のＧＳＭと同じアルゴリズム、キーおよび基準に基づいて、データ確認および暗号設定手順を実行する。従来の動作では、セル選択は、移動局１０２に、ある特定のセルを選択するように指示し、移動局１０２によって、あるいは、基地局１２０によって、自発的に実行され得る。移動局１０２は、ルーティングエリア（ｒｏｕｔｉｎｇ  ａｒｅａ）として知られている別のセルまたは別のセルグループをいつ再選択するかを無線ネットワーク１０４に知らせる。
【００２１】
ＧＰＲＳサービスにアクセスするために、移動局１０２は、無線ネットワーク１０４に自身の存在を知らせるため、まず、ＧＰＲＳ「アタッチ（ａｔｔａｃｈ）」として知られている行為を実行することで行う。この操作は、移動局１０２とＳＧＳＮ１２６との間に論理的リンクを確立し、移動局１０２が、例えば、ＳＧＳＮを介したページ（ｐａｇｅ）、入ってくるＧＰＲＳデータの通知、あるいは、ＧＰＲＳ上のＳＭＳメッセージなどを受信できるようにする。ＧＰＲＳデータを送受信できるように、移動局１０２は、自身が使いたいパケットデータアドレスを活性化するのを援助する。この操作によって、移動局１０２は、ＧＧＳＮ１２８に知られるようになり、外部データネットワークとの相互作用が、それ以後、開始され得る。ユーザデータは、例えば、カプセル化やトンネリングを使って、移動局１０２と外部データネットワークとの間を、ユーザが気付かない間に、伝達される。データパケットは、ＧＰＲＳ特定プロトコル情報を備え、移動局１０２とＧＧＳＮ１２８との間を伝達される。
【００２２】
上述から明らかなように、無線ネットワークは固定ネットワーク構成要素を含む。また、その構成要素には、ＲＦトランシーバ、増幅器、基地局制御装置、ネットワークサーバ、および、ネットワークに接続したサーバを含む。無線ネットワークは、図１には明示されていないが、おそらく他のネットワークを含む他のシステムと接続され得ることは、当業者には理解される。ネットワークは、普通、継続ベースで（たとえ、実際にはパケットデータが交換されていなくとも）、何らかの呼び出しとシステム情報を最低少なくとも、送信する。ネットワークが多くのパーツから構成されているが、これらのパーツは、同時に全て働く結果、無線リンクで、所定の動きとなる。
【００２３】
図２は、図１で用いられる好ましい移動局２００の詳細なブロック図である。移動局２００は、他のコンピュータシステムとの通信能力を含む音声とデータ通信能力を有する双方向通信デバイスであることが、好ましい。移動局２００によって提供される機能によって、これは、データ伝達デバイス、双方向ページャ、データ伝達能力を有する携帯電話、無線インターネット装置、または、データ通信デバイス（電話能力有りまたは無し）であると、みなされ得る。
【００２４】
移動局２００が双方向通信可能である場合、通常は、通信サブシステム２１１が組み込まれている。このサブシステム２１１には、受信器２１２、送信器２１４、および、関連構成要素を含む。関連構成要素は、例えば、１つ以上のアンテナ素子（内蔵または組み込みが好ましい）２１６と２１８、局部発振器（ＬＯ）２１３、および、デジタル信号プロセッサ（ＤＳＰ）２２０である。通信サブシステム２１１は、図１に示されるＲＦトランシーバ回路網１０８とアンテナ１１０と類似するものである。通信技術分野の当業者であれば、明らかなように、通信サブシステム２１１の特定の設計は、移動局２００が動作を想定している通信ネットワークに依存する。
【００２５】
ネットワークアクセスの要求は、使用されるネットワークの種類によっても変化する。ＧＰＲＳネットワークにおいて、例えば、ネットワークアクセスは、移動局２００の加入者またはユーザと関連している。したがって、ＧＰＲＳデバイスは、ＧＰＲＳネットワーク上で動作するために、一般的には「ＳＩＭ」２６２と称される加入者識別モジュールを要求する。このようなＳＩＭ２６２がＳＩＭインターフェース２６４に挿入されないと、ＧＰＲＳデバイスは、完全には機能しない。ローカル通信機能または非ネットワーク通信機能（これらを有すれば）が動作し得るが、移動局６１０は、ネットワークを介した通信の任意の機能を実行できない。ＳＩＭ２６２は、図１と関連して記載されたこれらの特徴を含む。
【００２６】
移動局２００は、任意の時間に、同一または異なるネットワークと関連する複数の基地局２０２の１つと接続して、動作する。移動局２００は、必要とされるネットワーク登録または活性化手続き完了後、選択されたネットワークで信号を送受信する。本出願のネットワーク選択は図６と関連して、以下に記載される。ネットワークを介してアンテナ２１６によって受信された信号は、受信器２１２に入力される。受信器２１２は、信号増幅、周波数ダウン変換、フィルタリング、チャネル選択、および、図２に示すようなアナログデジタル（Ａ／Ｄ）変換などの通常の受信器機能を実行し得る。受信信号のＡ／Ｄ変換は、ＤＳＰ２２０で実行される復調や復号化などのより複雑な通信機能を可能にする。同様にして、送信されるべき信号は、例えば、ＤＳＰ２２０によって、変調や符号化も含み、処理される。これらＤＳＰで処理された信号は、デジタルアナログ（Ｄ／Ａ）変換、周波数アップ変換、フィルタリング、増幅、および、アンテナ２１８を介した通信ネットワークでの送信のため、送信器２１４に入力される。ＤＳＰ２２０は、通信信号を処理するのみならず、受信器と送信器の制御をも提供する。例えば、受信器２１２と送信器２１４の通信信号に適用されるゲインは、ＤＳＰ２２０によって実行される自動ゲイン制御アルゴリズムを介して、順応的に制御され得る。
【００２７】
移動局２００は、移動局２００の動作全体を制御するマイクロプロセッサ２３８（図１の制御装置１０６の一つの実施）を含む。データ通信と音声通信とを少なくとも含む通信機能は、通信サブシステム２１１を介して、実行される。マイクロプロセッサ２３８は、追加デバイスサブシステムと相互作用する。このサブシステムは、例えば、ディスプレイ２２２、フラッシュメモリ２２４、ランダムアクセスメモリ（ＲＡＭ）２２６、補助入出力（Ｉ／Ｏ）サブシステム２２８、シリアルポート２３０、キーボード２３２、スピーカ２３４、マイク２３６、短距離通信サブシステム２４０、および、２４２で一般に指定される任意の他のサブシステムである。データ線と制御線２６０は、ＳＩＭインターフェース２６４とマイクロプロセッサ２３８間に延び、その間でデータを通信し、制御する。図２に示されるサブシステムの幾つかは、通信関連の機能を実行する。これに対し、他のサブシステムは、「常駐」またはデバイス上での機能を提供し得る。とりわけ、キーボード２３２とディスプレイ２２２のようなサブシステムは、通信ネットワークでの送信用にテキストメッセージを入力するなどの通信関連機能、および、計算機や作業リストなどのデバイス常駐機能の双方の機能に、例えば、用いられ得る。マイクロプロセッサ２３８で使われるオペレーティングシステムソフトウェアは、フラッシュメモリ２２４のような永久記憶装置に格納されること好ましい。フラッシュメモリ２２４は、代替的に、読み出し専用メモリ（ＲＯＭ）または類似の記憶素子（図示せず）であり得る。オペレーションシステム、特定のデバイスアプリケーション、または、その一部が、ＲＡＭ２２６のような揮発性記憶装置の中に、一時的にロードされ得ることは、当業者には理解される。
【００２８】
マイクロプロセッサ２３８は、そのオペレーションシステム機能に加え、移動局２００にソフトアプリケーションの実行を可能とすることが好ましい。基本デバイス動作を制御する所定のアプリケーションセットは、データと音声通信アプリケーション（例えば、ネットワーク選択スキーム）を少なくとも含み、通常は、製造時に移動局２００にインストールされる。移動局２００にロードされ得る好ましいアプリケーションは、個人情報管理（ＰＩＭ）アプリケーションであり得る。ＰＩＭアプリケーションは、ユーザに関連するデータ項目（例えば、Ｅメール、行事日程、ボイスメール、約束、作業項目などあるが、これらに限定されない）を組織し、管理する能力を有する。当然、１つ以上のメモリ記憶装置が移動局２００およびＳＩＭ２６２で利用可能であって、これは、ＰＩＭデータ項目などの情報の格納を容易にする。
【００２９】
ＰＩＭアプリケーションは、無線ネットワークを介して、データ項目を送受信する能力を有することが好ましい。好ましい実施形態においては、ＰＩＭデータ項目は、途切れることなく、無線ネットワークを介して、ホストコンピュータシステムに格納および／または関連した移動局ユーザの対応するデータ項目と、一体化され、同調され、更新される。こうして、このような項目を考慮して、移動局２００にミラー化された（ｍｉｒｒｏｒｅｄ）ホストコンピュータを生成する。これは、ホストコンピュータシステムが、移動局ユーザのオフィスコンピュータシステムである場合に、とりわけ有利である。追加のアプリケーションは、また、ネットワーク、補助Ｉ／Ｏサブシステム２２８、シリアルポート２３０、短距離通信サブシステム２４０、あるいは、任意の他の適切なサブシステム２４２を介して移動局２００にロードされ得る。そして、マイクロプロセッサ２３８による実行のために、ＲＡＭ２２６または好ましくは不揮発性記憶装置（図示せず）内に、ユーザによってインストールされ得る。このようなアプリケーションのインストールにおける柔軟性は、移動局２００の機能性を高め、オンデバイス機能、通信関連機能、あるいは、その双方の機能の強化を提供し得る。例えば、安全な通信アプリケーションであれば、移動局２００を用いて実行される電子商取引機能などの金融取引を可能とし得る。
【００３０】
データ通信モードにおいて、テキストメッセージやウェブページのダウンロードなどの受信信号は、通信サブシステム２１１によって実行され、マイクロプロセッサ２３８に入力される。マイクロプロセッサ２３８は信号をディスプレイ２２２または代替的に補助Ｉ／Ｏデバイス２２８に出力するため、生成することが好ましい。さらに、移動局２００のユーザは、例えば、ディスプレイ２２２と連動するキーボード２３２と、おそらくは補助Ｉ／Ｏデバイス２２８とを用いて、Ｅメールメッセージやショートメッセージサービス（ＳＭＳ）メッセージなどのデータ項目を作成し得る。キーボード２３２は、完全な英数字キーボードおよび／または電話式押しボタンであることが好ましい。これらの作成された項目は、通信サブシステム２１１を介した通信ネットワークで、送信され得る。
【００３１】
音声通信において、移動局２００の動作全体は、実質的に同様であるが、受信される信号はスピーカ２３４へ出力され、送信用信号はマイク２３６によって生成される点で異なる。音声メッセージ録音サブシステムなどの代替的な音声またはオーディオＩ／Ｏサブシステムも、また、移動局２００で実行され得る。音声またはオーディオ信号出力は、主としてスピーカ２３４で達成されることが好ましいが、ディスプレイ２２２は、例えば、呼び出し方の識別情報、音声コールの継続時間、または、他の音声コール関連情報などの表示を提供するために使われ得る。
【００３２】
図２のシリアルポート２３０は、通常は、携帯情報端末機器（ＰＤＡ）型通信デバイスで実行される。このデバイスにとって、ユーザのデスクトップコンピュータとの同期は、望ましい（たとえ、選択的であっても）構成要素である。シリアルポート２３０は、ユーザが外部デバイスまたはソフトアプリケーションを介して、好みの設定を可能とし、無線通信ネットワーク以外を介した情報やソフトウェアのダウンロードを提供し、移動局２００の能力を増強する。代替ダウンロード経路が、直接それゆえ確実で信頼性ある接続を介して、移動局２００向けの暗号化キーをロードするために、例えば、使われ得る。これは、移動局２００に安全なデバイス通信を提供するためである。
【００３３】
図２の短距離通信サブシステム２４０は、追加の選択的構成要素である。このサブシステム２４０は、移動局２００と、必ずしも同様のデバイスである必要のない別システムや別デバイスとの間の通信を提供する。例えば、サブシステム２４０は、同様に起動されるシステムやデバイスとの通信を提供するために、赤外線デバイス、および、関連回路や構成要素、あるいは、ブルートゥースＴＭ通信モジュールを含み得る。ブルートゥースは、Ｂｌｕｅｔｏｏｔｈ  ＳＩＧ，  Ｉｎｃ．の登録商標である。
【００３４】
移動局２００は、また、１つ以上の再充電可能電池２５６を受け取るため、電池インターフェース２５４を含む。このような電池２５６は、移動局２００の電気回路網の全体にではなくとも、その大部分に電力を提供する。そして、電池インターフェース２５４は、電池２５６と機械的電気的接続を提供する。電池インターフェース２５４は、全体の回路網で電力を調節する調節器（図２に図示せず）と結合されている。
【００３５】
図３は、移動局と通信する特定のシステム構造を示す。特に、図３は、ＧＰＲＳネットワークのようなＩＰベースの無線データネットワークの基本構成要素を示す。移動局２００は、無線パケットデータネットワーク３４５と通信する。さらに、無線音声ネットワーク（図示せず）とも通信可能であり得る。音声ネットワークは、例えば、ＧＳＭやＧＰＲＳネットワークなどと類似するＩＰベースの無線ネットワーク３４５と関連することも、あるいは、代替的に、完全に別個なネットワークであることもあり得る。ＧＰＲＳのＩＰベースのデータネットワークは、このネットワークがＧＳＭ音声ネットワークに、事実上のオーバーレイ（ｏｖｅｒｌａｙ）であることで、ユニークである。このため、ＧＰＲＳ構成要素は、基地局３２０のような既存のＧＳＭ構成要素を拡げるか、ネットワークエントリ点３０５として高度ゲートウェーＧＰＲＳ支援ノード（ＧＧＳＮ）のような追加されるべき追加構成要素を必要とするかのいずれかである。
【００３６】
図３に示すように、ゲートウェー３４０は、内部または外部のアドレス分析構成要素３３５、および、１つ以上のネットワークエントリ点３０５とに結合され得る。データパケットは、移動局２００に送信されるべき情報のソースであるゲートウェー３４０から、ネットワーク３４５を介して、送信される。これは、ゲートウェー３４０から移動局２００への無線ネットワークトンネル３２５を設定することによってである。この無線トンネル３２５を形成するために、ユニークなネットワークアドレスは移動局２００と関連している。しかしながら、ＩＰベースの無線ネットワークにおいて、ネットワークアドレスは、典型的には、特定の移動局２００に、永久的に割り当てられない。しかし、その代わりに、必要に応じて、ダイナミックに割り当てられる。このように、移動局２００にとっては、ネットワークアドレスを得ること、および、ゲートウェー３４０にとっては、無線トンネル３２５確立のため、このアドレスを決定することは好ましい。
【００３７】
ネットワークエントリ点３０５は、数多くのゲートウェー、共同サーバ、および、例えば、インターネットなど大容量接続の中において、多重送信および逆多重送信で、一般的に使われる。これらネットワークエントリ点３０５は、通常はほとんどない。なぜなら、ネットワークエントリ点３０５は、外部で利用可能な無線ネットワークサービスを中央化することを意図しているからである。ネットワークエントリ点３０５は、ゲートウェーと移動局との間のアドレス割り当ておよびアドレス照合を補助するアドレス分析構成要素３３５の何らかの形式を用いることが多い。本例において、アドレス分析構成要素３３５は、ダイナミックホスト構成プロトコル（ＤＨＣＰ）として描かれているが、これはアドレス分析メカニズムを提供する一つの方法である。
【００３８】
無線データネットワーク３４５の中央内部構成要素は、ネットワークルータ３１５である。一般に、ネットワークルータ３１５は、特定のネットワーク特有のものであるが、代替的に、標準的な市販のハードウェアからも構成され得る。ネットワークルータ３１５の目的は、比較的大きなネットワークで実行されている何千もの基地局３２０を、ネットワークエントリ点３０５に戻る長距離接続のため、中央ロケーションに中央化することである。ネットワークにおいて、ネットワークルータ３１５の多数の階層があり、マスターとスレーブのネットワークルータ３１５が存在する場合もあり得る。しかし、これらの場合いずれも、機能は同様である。しばしば、ネットワークルータ３１５は、ネームサーバ３０７（ここに示されている場合、インターネットで使われるよなダイナミックネームサーバ（ＤＮＳ）３０７）にアクセスし、データメッセージをルーティングして、目的地を照合する。基地局３２０は、上述のように、移動局２００のような移動局への無線リンクを提供する。
【００３９】
無線トンネル３２５のような無線ネットワークトンネルは、ＩＰパケットのデリバー用に、必要なメモリ、ルーティング、アドレスリソースを割り当てるため、無線ネットワーク３４５の至るところで、開かれている。ＧＰＲＳにおいて、このようなトンネル３２５は、「ＰＤＰコンテクスト」（すなわち、データセッション）と称されるもの一部として、確立される。無線トンネル３２５を開くためには、移動局２００は、無線ネットワーク３４５と関連した特定技術を使わなくてはならない。このような無線トンネル３２５を開くステップには、ドメインを指示する移動局２００、または、ネットワークエントリ点３０５が無線トンネル３２５を開きたいと願うエントリ点３０５を要求し得る。本例において、トンネルは、まず、ネットワークルータ３１５に到達する。このルータ３１５は、どのネットワークエントリ点３０５が、提供されたドメインとマッチするかを決定するため、ネームサーバ３０７を使う。多数の無線トンネルが、冗長性のために、あるいは、ネットワークにある異なるゲートウェーやサービスにアクセスするために、一つの移動局２００から開かれ得る。一度、ドメインネームが見つかると、トンネルはネットワークエントリ点３０５に拡がり、必要なリソースは、その途中にあるノードのそれぞれに割り当てられる。次いで、ネットワークエントリ点３０５は、アドレス分析（またはＤＨＣＰ３３５）構成要素を使い、移動局２００に対して、ＩＰアドレスを割り当てる。ＩＰアドレスが、移動局２００に割り当てられ、ゲートウェー３４０に通信されたとき、ようやく、情報はゲートウェー３４０から移動局２００に転送され得る。
【００４０】
無線トンネル３２５は、典型的には、移動局２００のカバー圏のプロファイルと活動状況に依存し、限られた寿命を有する。無線ネットワーク３４５は、不活動な時間またはカバー圏外にある時間が、ある期間を過ぎると、無線トンネル３２５を取り外す。これは、無線トンネル３２５によって保たれたリソースを、他のユーザのために、取り戻すためである。この主たる理由は、無線トンネル３２５が最初に開かれたときに、一時的に移動局２００に保存されたＩＰアドレスを再要求するからである。一度、ＩＰアドレスが失われ、無線トンネル３２５が取り外されると、ゲートウェー３４０は、伝送制御プロトコル（ＴＣＰ）上であれ、ユーザデータプロトコル（ＵＤＰ）上であれ、移動局２００にＩＰデータパケットを起動する能力を全て失う。
【００４１】
本アプリケーションにおいて、「ＩＰベースの無線ネットワーク」（無線通信ネットワークの一つの特定なタイプ）は、（１）Ｑｕａｌｃｏｍｍによって開発され、運営されている符号分割多元接続（ＣＤＭＡ）ネットワーク、（２）欧州郵便電気通信主官庁会議,（ＣＥＰＴ）の規格委員会によって開発された移動通信グローバルシステム（ＧＳＭ）とともに使われ、ＣＥＰＴによって開発された汎用パケット無線サービス（ＧＰＲＳ）ネットワーク、（３）ＧＳＭ進化用エンハンストデータレート（ＥＤＧＥ）や国際移動電気通信システム（ＵＴＭＳ）などの将来の第三世代（３Ｇ）ネットワークを含み得るが、これらに限定されない。特定のＩＰベースの無線ネットワークがここまでに記載されてきたが、本出願の通信再確立スキームは、無線パケットデータネットワークの任意のふさわしいタイプで利用され得ることは、理解されるべきである。
【００４２】
図３と関連して示し、記載された構造基盤は、同じ地理的領域において提供され、利用可能な多数の異なる通信ネットワークの各一を代表し得る。これら通信ネットワークの一つは、移動局によって選択され、通信のために、自動または手動で選択される。
【００４３】
図４は、移動局２００が、「Ｂ」国にある訪問先ネットワーク４０６に現在登録され、このネットワーク４０６を介して通信中で、それに引き続き、「Ａ」国内にある自身の国内ネットワーク４０２が利用可能となる場合を示す図である。国境４５０がＡ国とＢ国とを分離している。Ａ国の国内ネットワーク４０２は、基地局４０４を有し、移動局２００はこの基地局４０４を介して通信し得る。国内ネットワーク４０２は、第一の移動国コード（ＭＣＣ）と第一の移動ネットワークコード（ＭＮＣ）とに、関連する。第一のＭＣＣは、Ａ国に対応する。一方、Ｂ国にある訪問先ネットワーク４０６は、基地局４０８を有し、移動局２００はこの基地局４０８を介して通信し得る。訪問先ネットワーク４０６は、第二のＭＣＣと第二のＭＮＣとに、関連する。第二のＭＣＣは、Ｂ国に対応し、第一のＭＣＣとは異なる。ＭＮＣ／ＭＣＣのペアは、任意のネットワークを一意的に識別する。このペアは、基地局によって同報通信され、走査動作中に、移動局２００によって受信される。
【００４４】
移動局２００が、Ｂ国の訪問先ネットワーク４０６によって、サービス開始された状況を考える。仕様に則って、周期的な走査中に、移動局２００は、現在の「サービス対象」Ｂ国にない任意のネットワークの選択を考えてはならない。すなわち、移動局２００は、訪問先ネットワーク４０６の第二のＭＣＣを同報通信しない任意のネットワークを選択してはならない。この動作は、二国（例えば、Ａ国とＢ国）の国境（例えば、国境４５０）において、移動局２００が両国からのネットワークを「見る」ことのできる場で、重大な問題を引き起こす。このシナリオにおいて、移動局２００は、その移動局の現在のサービス対象ネットワークのＭＣＣと異なるＭＣＣを有する全てのネットワーク（移動局自身の国内ネットワーク４０２を含む）を無視して動作する。
【００４５】
図５は、現在の標準に基づく通信ネットワーク選択方法を、さらに記載する流れ図である。このような従来型動作は、ＥＴＳＩ仕様文書２３．１２２に記載されている。スタートブロック５０２から始まり、移動局はＢ国の訪問先ネットワーク（例えば、図４の訪問先ネットワーク４０６）で動作する（ステップ５０４）。Ｂ国の訪問先ネットワークは、移動局の国内ネットワークではない。国内ネットワークは第一のＭＣＣを有し、訪問先ネットワークは第一のＭＣＣとは異なる第二のＭＣＣを有する。
【００４６】
移動局はその国内ネットワークで動作していないから、周期的に「国内ネットワークタイマー」（またはＨＰＬＭＮタイマー）がセットされ、移動局がその国内ネットワークを求め、周期的走査を実行し得るように稼動している。国内ネットワークタイマーが期限満了にならない（ステップ５０６）と、移動局はこのような期限満了になるのを待ち続ける。国内ネットワークタイマーが、ステップ５０６で期限満了になると、移動局はそのカバーエリア圏内にある利用可能な全てのネットワークを識別するために、走査動作を実行する（ステップ５０８）。利用可能なネットワークは、国境沿いのＡ国内にある移動局の国内ネットワーク（例えば、図４の国内ネットワーク４０２）をも含み得ることには留意されたい。
【００４７】
現在の標準によると、移動局は、ネットワーク選択技術（例えば、優先化ネットワークリストに基づく）を用いて、Ｂ国内のこれらのネットワークから選択しなくてはならない（ステップ５１０）。Ａ国の国内ネットワークが利用可能でも、これら現在の標準で示されるステップ５１０では、移動局はこの国内ネットワークを選択しない。現在の標準は、ＭＣＣが以前に使ったネットワークのＭＣＣとマッチすべきことを要求する。しかし、このシナリオにおいては、そうではない。このように、国内ネットワークは、ステップ５１０で、移動局によって選択されない。国内ネットワークタイマーは再セットされ（ステップ５１２）、そして、本方法はステップ５０６に戻り続ける。国内ネットワークタイマーが、引き続き、期限満了になると、移動局は再びＡ国の国内ネットワークを選択し損なう。
【００４８】
図６は、国境地域において、国内ネットワーク優先化を有する通信ネットワーク選択方法を記載する流れ図である。このような方法は、図１〜図４と関連して示され、述べられたデバイスや構成要素と結び付けられて、用いられ得る。例えば、ステップは、図２の移動局２００のマイクロプロセッサ２３８や通信サブシステム２１１によって、実行され得る。図６のスタートブロック６０２から始まり、移動局は、Ｂ国の訪問先ネットワークで動作する（ステップ６０４）（例えば、図４の訪問先ネットワーク４０６）Ｂ国の訪問先ネットワークは、移動局の国内ネットワークではない。国内ネットワークは第一のＭＣＣを有し、訪問先ネットワークは、第一のＭＣＣと異なる第二のＭＣＣを有する。
【００４９】
移動局はその国内ネットワークで動作していないから、周期的に「国内ネットワークタイマー」（またはＨＰＬＭＮタイマー）がセットされ、移動局がその国内ネットワークを求め、周期的走査を実行し得るように稼動している。国内ネットワークタイマーが期限満了にならない（ステップ６０６）と、移動局はこのような期限満了になるのを待ち続ける。国内ネットワークタイマーが、ステップ６０６で期限満了になると、移動局はそのカバーエリア圏内にある利用可能な全てのネットワークを識別するために、走査動作を実行する（ステップ６０８）。利用可能なネットワークは、国境沿いのＡ国内にある移動局の国内ネットワーク（例えば、図４の国内ネットワーク４０２）をも含み得る。
【００５０】
本技術において、移動局は、利用可能なネットワークの走査リストを国内ネットワークと比較し、国内ネットワークが利用可能であるかどうかを識別する（ステップ６１０）。移動局は、国内ＭＮＣ／ＭＣＣペアと、走査リストのＭＮＣ／ＭＣＣペアを比較して、この識別を行う。国内ネットワークがステップ６１０でテストされた結果、利用可能であるなら、移動局は国内ネットワークを選択し、登録する（ステップ６１２）。国内ネットワークのＭＣＣは、移動局が以前に動作していた訪問先ネットワークのＭＣＣと異なるという事実にも関わらず、国内ネットワークが選択される。ステップ６１０で、国内ネットワークが利用可能であるないなら、移動局は、ネットワーク選択技術（例えば、その優先化ネットワークリストに基づく）を用いて、Ｂ国のこれらネットワークから選択する（ステップ６１４）。国内ネットワークが利用可能でないとき、同じ訪問先ネットワークが利用可能であると仮定すると、移動局は、訪問先ネットワークで動作し続ける。タイマーは、ここでリセットされ（ステップ６１６）、この方法はステップ６０６へと繰り返す。
【００５１】
このユニークな動作は、国境地域において、移動局が双方の国からネットワークを「見る」ことができるときに生じた問題を解決する点で有利である。移動局は、もはや、自身の国内ネットワークを無視して動作することはない。ここで、その移動局自身の国内ネットワークは、上述のシナリオにおけるその現在サービス対象ネットワークのＭＣＣと異なるＭＣＣを有する。
【００５２】
最終コメント。国境地域において国内ネットワークを優先化するネットワーク選択方法と選択装置が、上記で述べられてきた。上述した一つの説明例において、移動局は、国内ＭＣＣを有する国内通信ネットワークと関連している。しかしながら、移動局は、国内ネットワークの国の外にある場合、訪問先ＭＣＣを有する非国内通信ネットワークを選択し、それとともに作動する。タイマーが期限満了すると、移動局は、移動局が動作する範囲のカバーエリア内の複数の通信ネットワークを識別するために走査する。国内ＭＣＣを有する国内通信ネットワークが、利用可能であると識別されると、移動局は、国内通信ネットワークを選択し、それとともに作動する。さもなくば、訪問先ＭＣＣを有する非国内通信ネットワークが、利用可能であると識別されると、移動局は、非国内通信ネットワークを選択し、それとともに作動する。
【００５３】
国内ＭＣＣを有する国内通信ネットワークと関連する移動局によって、通信ネットワークを選択する関連方法は、訪問先ＭＣＣを有する非国内通信ネットワークを選択し、それとともに作動する行為と、移動局の動作範囲にあるカバーエリア内の複数の通信ネットワークを識別するために、走査する行為とを包含する。そして、国内ＭＣＣを有する国内通信ネットワークが、走査によって利用可能であると識別されたら、国内通信ネットワークを選択し、それとともに作動する。
【００５４】
通信システムは、第一の国と関連する第一のＭＣＣを有する第一の通信ネットワークと、第二の国と関連する第二のＭＣＣを有する第二の通信ネットワークとを備える。第一の通信ネットワークと第二の通信ネットワークで動作可能な１以上の移動局は、その国内通信ネットワークとして指定された第一の通信ネットワークを有する。その１以上の移動局は、第二のＭＣＣを有する第二の通信ネットワークを選択し、それとともに作動するように、タイマーの期限満了後、移動局の作動範囲にあるカバーエリア内の複数の通信ネットワークを識別するために、走査するように、動作する。これは、第一のＭＣＣを有する第一の通信ネットワークが、その走査によって利用可能であると識別された場合、第一の通信ネットワークを選択し、それとともに作動するように、および、さもなくば、第二のＭＣＣを有する第二の通信ネットワークが、その走査によって利用可能であると識別された場合、第二の通信ネットワークを選択し、それとともに作動するように、動作することによる。
【００５５】
上述した本発明の実施形態は、実施例として、意図されている。ここに添付した請求項によってのみ定義される本発明の範囲から逸脱しない範囲で、特定の実施形態に、改変、変更およびバリエーションは、当業者によって実行され得る。
【００５６】
（産業上の応用）
本発明は、ネットワーク選択方法と選択機器とを提供する。
【図１】
2010081628.tif 000003
【図２】
2010081628.tif 000004
【図３】
2010081628.tif 000005
【図４】
2010081628.tif 000006
【図５】
2010081628.tif 000007
【図６】
2010081628.tif 000008